【手続補正書】
【提出日】平成20年4月3日(2008.4.3)
【手続補正１】
【補正対象書類名】明細書
【補正対象項目名】全文
【補正方法】変更
【補正の内容】
【書類名】      明細書
【発明の名称】  パイプと剛性要素との迅速連結装置
【特許請求の範囲】
【請求項１】
パイプと剛性要素との迅速連結装置であって、外部本体（１２）と、この外部本体（１２）の空どう（１８）内に配置させることができると共に内部にパイプ（２２）の一端部を位置させることができるグリッパ（１３）と、ガスケット（１４）と、前記空どう（１８）の中間区域に設けられて半径方向内向きに突出するリング状の突出部（１９）であって、この突出部（１９）と前記ガスケット（１４）が配置されている底部（２４）との間を滑動する前記グリッパ（１３）の一端部を前記空どう（１８）内に保持することができる突出部（１９）とを包含する迅速連結装置において、前記グリッパ（１３）が外側に開口された端に面する前記空どう（１８）の区域に位置している端部分に追加の一対のガスケット（１５，１６）を担持し、これらのガスケット（１５，１６）が、挿入された前記パイプ（２２）の外面と前記空どう（１８）の内面との両方に関しての前記グリッパ（１３）のシールを保証するのに適当であることを特徴とする迅速連結装置。
【請求項２】
請求項１記載の連結装置において、前記一対のガスケット（１５，１６）が一対のリング状ハウジング（３２，３３）内に配置され、これらハウジングの一方は前記グリッパ（１３）の外面にまた他方は前記グリッパ（１３）の内面に作られていることを特徴とする連結装置。
【請求項３】
請求項１記載の連結装置において、前記グリッパ（１３）が円筒形であって、この円筒形の母線にしたがって向けられた複数のノッチ（２７）により画成された一連の締付け歯（２６）を包含し、これら歯（２６）の各々が前記ガスケット（１４）に面するそれらの自由端に半径方向内向きに面するとがった部分（２８）を有し、かつ前記自由端が前記とがった部分（２８）に向けられてへこんだテーパ部（２９）を有することを特徴とする連結装置。
【請求項４】
請求項１記載の連結装置において、前記グリッパが、前記空どう（１８）の開放端に向かって前記空どう（１８）内に位置している中間部分に、ガイドとして働く少なくともひとつの部分（３１，３４）を有することを特徴とする連結装置。
【請求項５】
請求項１〜４のいずれか一項に記載の連結装置において、前記ガスケット（１４）がＯリング（１４）であることを特徴とする連結装置。
【発明の詳細な説明】
【０００１】
本発明は、パイプと剛性要素との迅速連結装置に関する。
【０００２】
種々の型式の迅速連結装置が知られており、これらの連結装置はパイプの一端部をベースブロック、すなわち剛性要素に関して挿入して固定し、流体、特に空気の流れを生じせしめることができる。
【０００３】
一般に、これらの型式のコネクタ、すなわち連結装置は、ねじ込み又は同様な手段によりマニホルドに接続される外部本体と、グリッパとを包含し、グリッパの一端部は外部本体内に作られている内部空どうの制限区域内を滑動できる。また、ガスケット、すなわちＯリングが前記グリッパの一端部と前記内部空どうの底部との間で前記内部空どう内に配設され、パイプのシール状態と、前記制限区域内においてのパイプの自動開放との両方を生じせしめる。グリッパは、円筒形の部品（必要ならば、拡大端を備えている）から成り、グリッパ内に作られている軸方向の母線にしたがって向けられている複数のノッチにより作られている一連の締付け歯を備えている他端部で終っている。これらの締付け歯は、したがって、グリッパの断面において半径方向にしたがう道を与えられ、外部本体の空どう内に作られて半径方向内向きに突出するリング状の突出部のために、挿入したパイプ上の係合位置と解放位置との間を移動可能であり、これはＯリングの形のガスケットの存在により助長される。
【０００４】
パイプの端部分が外部本体内に配置されているグリッパの内部に挿入されると、グリッパの歯は広がり、パイプの端部分の挿入を許す。
【０００５】
パイプを迅速連結装置から抜き出させなくするために、半径方向内向きに面する端に作られている、歯のとがった部分はパイプの外面に係合し、パイプを固定する。なぜなら、グリッパの端部がリング状突出部に接触し、それ自身半径方向内向きに向けられるように付勢されるからである。
【０００６】
グリッパをパイプの挿入位置に保持させないで、すなわちグリッパを外部本体の空どうの底部に到達するように軸方向に押し込むと、一連の歯はパイプの外面から解放され（これは空どうの底部に存在するＯリングの助けによる）、したがってパイプを自由に抜き出すことができる。
【０００７】
前述のように作られている迅速連結装置は、迅速なパイプの挿入、パイプのしっかりした配置、及びいかなる場合でもパイプの抜き出しを許容するけれども、連結装置が配設されているベースブロックと、連結装置の中に挿入されているパイプとの間の流体通過に関するシールの問題を生じせしめる。
【０００８】
実際、歯のとがった部分の存在及び幾度ものパイプの連結装置内への挿入と連結装置からの取外し作業により、パイプの端部外面にスコーリングを生じせしめる。したがって、このようなスコーリングにより流体通過の漏洩が起こりうる。
【０００９】
この問題は、流体が空気であるときにもある程度重要であるが、しかし、流体が油又は同種の液体のような液体であるときには一層重要であることは確実に言えることである。
【００１０】
このような問題の解決を試みまた見出すために、種々の型式の連結装置が作られており、これらの連結装置は確実なシールを保証するのに適当な一連のガスケット及び部品の配設を行っている。
【００１１】
しかしながら、これら公知の連結装置は、パイプの端部を挿入する前に例えばねじ込みにより人為的に締結する必要がある多数の部品から成っており、これらの部品はいかなる場合でもパイプの迅速な抜き出しを許すものではない。実際、連結装置の部品の分解をなすことが必要であり、又は場合によってはパイプの端部分の切断、連結装置の取外し及び新しい連結装置との取換えをなすことが必要であり、この取換えはパイプの切断した端部が組立て中の連結装置部品の中に再び挿入された後に行われる。
【００１２】
回収されるかもしれない連結装置の損失はさておき、パイプは短くされ、もし同じパイプが再び配置されなければ、パイプはかなり短くなっているので、もはや正確な接続を作ることができなくなる。
【００１３】
したがって、これは、迅速な介入の場合に要求される時間よりも当然にも長い介入時間に加えて、幾つかの部品において迅速連結装置の組立及び製造損失を生じせしめる。
【００１４】
パイプの接続及び／又は取外しのための幾つかの部品、又は連結装置への介入のための追加の工具又は道具を用意する必要があることは、また、複数の連結装置が極端に制限された空間に互いに接近してひと組に組立られる場合には重要な問題を課する。
【００１５】
本発明の目的は、上述した技術的な問題を解決し、確実なシールに加えて、迅速なパイプの接続及び取外しの両方を許す、パイプと剛性要素との迅速連結装置を作ることにある。
【００１６】
本発明の他の目的は、最少の製造コストをもたらす最少数の構成部品を有する、パイプと剛性要素との迅速連結装置を製造することにある。
【００１７】
本発明の更に他の目的は、パイプの接続及び／又は取外しを行うためにいかなる追加の工具又は道具を必要としない、パイプと剛性要素との迅速連結装置を製造することにある。
【００１８】
これらの目的は、本発明によれば、パイプと剛性要素との迅速連結装置であって、外部本体と、この外部本体の空どう内に配置させることができると共に内部にパイプの一端部を位置させることができるグリッパと、ガスケットと、前記空どうの中間区域に設けられて半径方向内向きに突出するリング状の突出部であって、この突出部と前記ガスケットが配置されている底部との間を滑動する前記グリッパの一端部を前記空どう内に保持することができる突出部とを包含する迅速連結装置において、前記グリッパが外側に開口された端に面する前記空どうの区域に位置している端部分に追加の一対のガスケットを担持し、これらのガスケットが、挿入された前記パイプの外面と前記空どうの内面との両方に関しての前記グリッパのシールを保証するのに適当であることを特徴とする迅速連結装置により達成される。
【００１９】
また、好適には、本発明は、次のことを特徴とする。
【００２０】
前記一対のガスケットは一対のリング状ハウジング内に配置され、これらハウジングの一方は前記グリッパの外面にまた他方は前記グリッパの内面に作られていることを特徴とする。
【００２１】
前記グリッパは円筒形であって、この円筒形の母線にしたがって向けられた複数のノッチにより画成された一連の締付け歯を包含し、これら歯の各々が前記底部に配置されている前記ガスケットに面するそれらの自由端に半径方向内向きに面するとがった部分を有し、かつ前記自由端が前記とがった部分に向けられてへこんだテーパ部を有することを特徴とする。
【００２２】
前記グリッパは、前記空どうの開放端に向かって前記空どう内に位置している中間部分に、ガイドとして働く少なくともひとつの部分を有することを特徴とする。
【００２３】
前記底部に配置されている前記ガスケットは、Ｏリングであることを特徴とする。
【００２４】
本発明による、パイプと剛性要素との迅速連結装置の特徴及び利点は、添付図面を参照して非限定な説明として述べられる下記の説明から明らかになるであろう。
【００２５】
図面を参照するに、本発明にしたがって作られた、パイプと剛性要素との連結装置は符号１１により総括的に示されている。
【００２６】
図１に示されるように、連結装置１１は、外部本体１２と、この外部本体１２の空どう内に配置させることができるグリッパ１３と、例えばＯリング１４の形のガスケットと、例えば密封リング１５及び１６の形の少なくとも２つの他のガスケットとを包含する。
【００２７】
外部本体１２は、流体のマニホルド（図示せず）に接続され、符号１７により示されているそのリングナット部分を介してマニホルドに固定される。外部本体は、前述したように、その内部に符号１８により総括的に示されている円筒形の空どうを有する。この空どう１８は、その中間部分にリング状の突出部１９を有し、この突出部１９は半径方向内向きに突出している。
【００２８】
このリング状突出部１９は空どう１８の制限端末区域２０を画成し、この端末区域２０は円筒形のハウジング２１に直接接続され、このハウジング２１は連結装置１１の内部に導入しなければならないパイプ２２（図２及び図３参照）と同じ直径を有してパイプ２２の一端を受け入れる。勿論、円筒形ハウジング２１は、その一方の側で図示していないマニホルド内への流体の通過を許す開口２３にまで連続し、またその他方の側で空どう１８の底部として働くアンダーカット部２４を画成する。このようなアンダーカット部又は底部２４と、リング状突出部１９の側の傾斜表面２５との間に、空どう１８の前述した制限区域２０が延びており、そしてこの制限区域２０内にＯリング１４が収容されることを留意すべきである。
【００２９】
グリッパ１３は円筒形の部品から成り、この円筒形部品は一方の側に一連の締付け歯２６を包含し、これらの歯２６は円筒形の母線にしたがって向けられた複数のノッチ２７により画成されている。これら歯の各々は、パイプ２２と相互作用するように半径方向内向きに面しているとがった部分２８を有する。各歯２６の自由端はとがった部分２８に向けられてへこんだテーパ部２９を有し、このテーパ部２９はＯリング１４と接触するようにすることができる。各歯２６は、また、リング状突出部１９の傾斜表面２５と協働するために外向きに面している突出リッジ区域３０を有する。
【００３０】
グリッパ１３は、また、ノッチ２７のほとんど端部に作られたフランジ部分３１を有し、このフランジ部分３１は半径方向外向きに面していると共に空どう１８の内径と同様な直径を有する。このフランジ部分３１は、グリッパ１３のガイドとして働く。本発明によれば、更に、グリッパ１３は、またガイドとして働くと共に空どう１８の外側に面しているその端部分３４に、横方向に一対のリング状ハウジング３２及び３３を有し、これらのハウジング３２，３３はガスケット１５及び１６を受け入れるのに適当である。より詳細には、ハウジング３２はグリッパ１３の外面に作られ、外向きに向けられて空どう１８の内面に面する。ハウジング３３は、グリッパ１３の内面に作られ、内向きに向けられてパイプ２２の外面に面する。
【００３１】
以上述べた外部本体１２及びグリッパ１３の両方の特徴のすべてが、図１においてはっきりと見ることができる。
【００３２】
図２は、外部本体１２の内部に配置されたグリッパ１３の内部にパイプ２２が挿入され、関連するＯリング１４及び密封リング１５，１６がそれぞれの位置又は座に収容されるときに各構成部品によりなされる状態を示す。
【００３３】
パイプ２２はグリッパ１３の内部を自由に滑動し、パイプ２２の外面はぎざぎざにして配設されたとがった部分２８により影響されることはなく、各歯２６は空どう１８の制限区域２０に位置される。パイプ２２の一端部は、したがって、円筒形ハウジング２１内に当接される。
【００３４】
そして、パイプ２２を外側に簡単に引張ることにより、及び／又は連結装置の内部に流体、すなわち空気、油又は他の流体により圧力の確立を生じさせることにより、連結装置は図３に示される状態とされる。この状態において、歯２６のとがった部分２８がパイプ２２の外面にしっかりと係合することにより、パイプ２２は連結装置内にしっかりと連結される。この係合は、Ｏリング１４が圧力下の流体により圧力を加えられて一連の歯２６のテーパ部２９に対して動き、したがってグリッパ１３の全体に圧力を加えてグリッパ全体を空どう１８、すなわち空どうの制限区域２０の外側に向かって前方へ動かすことから、また、パイプが内部圧力により押され、したがって前記歯２６のとがった部分２８に係合することから、生ずる。しかしながら、外向きに面していると共に各歯２６上にある突出区域３０は、空どう１８のリング状突出部１９の傾斜表面２５に係合し、これにより歯２６を付勢して半径方向内向きに曲がらせ、パイプ２２の外面にますます係合せしめる。この作用は連結を保証し、Ｏリング１４の存在により初期シールを生じせしめる。
【００３５】
しかしながら、空どう１８内においてグリッパ１３のわずかな戻りを生じさせるために、迅速連結装置の外側に面している、グリッパ１３の端部分３４の拡大フランジ３５に圧力を単に加えることにより、パイプ２２を連結装置から取り出すことは必要なことである。この方法において、各歯の自由端のテーパ部２９はＯリング１４を空どう１８の底部２４上に押し付け、また、Ｏリング１４に係合するテーパ部２９は歯２６を制限区域２０内において広げるようにし、したがって、とがった部分２８がパイプの外面から解放することを生じせしめる。
【００３６】
グリッパ１３の端部分３４の拡大フランジ３５に圧力を加えることによりなされた前記状態にグリッパ１３を維持することは、連結装置の内部からパイプ２２を自由に解放することを許す（この状態は、図２に示される状態と全く同様である）。
【００３７】
図４は、迅速連結装置の第２実施例を示す。この実施例は、前述した第１実施例と同じ方法で作用するけれども、拡大フランジ３５なしで作られている。
【００３８】
パイプ２２の外面に係合し又はこの外面から解放されるとがった部分２８はスコーリングを生じさせ、その傷から流体の放出が生じる可能性があることは当然である。
【００３９】
空どう１８の外側に面するグリッパ１３の残りの部分に２つの追加の密封リング（ガスケット）１５及び１６を配設することは、いかなる場合でもシールを保証する。実際に、このようなガスケットはパイプ２２の一部分、すなわちいかなる場合でもとがった部分２８により影響されず、それ故スコーリングが生じない部分上に作用する。
【００４０】
このようなシールの配設にもかかわらず、本発明による迅速連結装置は、いずれにしても、パイプの迅速な係合、すなわち連結及び解放、すなわち取外しを許す。
【００４１】
更に、連結及び解放作業のために追加の工具又は道具を必要としないことを述べることは重要なことであり、解放時には人為的に圧力を外側に面しているグリッパ１３の端部に加えるだけで十分である。
【００４２】
グリッパは、有益には、パイプを保持する機能とパイプを解放する機能との両方を行う。
【００４３】
本発明の迅速連結装置は、また、良好なシールが例えば油又は同種の液体に対して最高に重要であるとされる適用に関してもくろみられている連結装置において、最少数の構成部品（外部本体とグリッパ）で作られる。
【００４４】
また、パイプの接続及び取外しの繰り返しにさらされるようにもくろみられている連結装置にあっては、パイプそれ自体のいかなる切断も必要とせず、したがってパイプは適正な初期長さを維持する。
【００４５】
更に、本発明の迅速連結装置は極端に制限された空間、例えば並んでひと組に組み立てられる２つのコネクタのケース内に容易に組み入れることができる。
【図面の簡単な説明】
【図１】
本発明による迅速連結装置の第１実施例の分解図で、構成部品が一部断面にして示されている。
【図２】
パイプが挿入された後まだ解放されている状態を示す、図１の迅速連結装置の一部断面図である。
【図３】
パイプが連結装置の内部にしっかりと連結されている状態を示す、図２の同様な断面図である。
【図４】
パイプが挿入された後まだ解放されている状態を示す、連結装置の第２実施例の一部断面図である。
【符号の説明】
１１  連結装置
１２  外部本体
１３  グリッパ
１４  Ｏリング（ガスケット）
１５  密封リング（ガスケット）
１６  密封リング（ガスケット）
１７  リングナット部分
１８  空どう
１９  突出部
２０  制限端末区域
２１  ハウジング
２２  パイプ
２３  開口
２４  アンダーカット部又は底部
２５  傾斜表面
２６  締付け歯
２７  ノッチ
２８  とがった部分
２９  テーパ部
３０  突出リッジ区域
３１  フランジ部分
３２  ハウジング
３３  ハウジング
３４  端部分
３５  拡大フランジ